(57)【要約】【課題】手入れが簡単な吊下鉢用鉢受及び吊下鉢セットを提供すること。【解決手段】一方に開口する中空部２０ｃを備える筒状の吊下鉢用鉢受２０は、その周壁８と吊下鉢１０の周壁６に挿通した複数の連結部材２１によって吊下鉢１０と一体化され、天井などに吊り下げられる。水やり時には、全ての連結部材２１を外して吊下鉢用鉢受２０を吊下鉢１０から取り外し、吊下鉢用鉢受２０を洗面台などへ持っていって水を入れ替えた後、吊下鉢用鉢受２０を持って吊下鉢１０の設置場所へ戻り、その後、吊下鉢用鉢受２０の中空部２０ｃに吊下鉢１０を挿入して配置し、連結部材２１で吊下鉢用鉢受２０と吊下鉢１０とを一体的に係合させる。【選択図】図１
2008142087.tif 000002
【特許請求の範囲】
【請求項１】
植物が植栽され吊下部材を介して吊り下げられる吊下鉢に連結部材を介して連結される吊下鉢用鉢受において、
一方に開口する中空部を備える筒状をなし、前記中空部に前記吊下鉢を挿入して配置するものであって、
前記連結部材は、前記吊下鉢と前記吊下鉢用鉢受に着脱可能に係合するものであり、
前記連結部材を前記吊下鉢と前記吊下鉢用鉢受とに係合したときに前記吊下鉢と一体化される
ことを特徴とする吊下鉢用鉢受。
【請求項２】
請求項１に記載する吊下鉢用鉢受において、
前記中空部内で前記吊下鉢を位置決め保持する保持部を有する
ことを特徴とする吊下鉢用鉢受。
【請求項３】
請求項１又は請求項２に記載する吊下鉢用鉢受において、
前記連結部材は、前記吊下鉢用鉢受の周壁と前記吊下鉢の周壁とに貫通して装着されるピン部材である
ことを特徴とする吊下鉢用鉢受。
【請求項４】
請求項１又は請求項２に記載する吊下鉢用鉢受において、
前記中空部が開口する開口部外周に沿ってフランジ部が設けられ、
前記連結部材は、前記吊下鉢の内周面に当接して係止される第１係止部と、前記フランジ部に引っ掛けられる第２係止部とを有し、前記吊下鉢の周壁と前記鉢受の周壁とを挟み込むように保持するものである
ことを特徴とする吊下鉢用鉢受。
【請求項５】
請求項１乃至請求項４の何れか１つに記載する吊下鉢用鉢受を使用することを特徴とする吊下鉢セット。
【請求項６】
植物が植栽され吊下部材を介して吊り下げられる吊下鉢と、前記吊下鉢の底側に配置される吊下鉢用鉢受と、前記吊下鉢と前記吊下鉢用鉢受とを連結する連結部材と、を備える吊下鉢セットにおいて、
前記吊下鉢は、第１係合部を備え、
前記鉢受は、第２係合部を備え、
前記連結部材は、
前記第１係合部に係合する第１係止部材と、
前記第２係合部に係合する第２係止部材と、
前記第１係止部材と前記第２係止部材に固着された連結ベルトとを含む
ことを特徴とする吊下鉢セット。
【発明の詳細な説明】
【技術分野】
【０００１】
本発明は、吊下鉢に使用される吊下鉢用鉢受と、天井や軒下、スタンド、壁などに吊り下げられる吊下鉢セットと、に関する。
【背景技術】
【０００２】
植物は、その形や色彩が美しく癒しの効果がある上に、空気清浄やマイナスイオンの発生など健康にも良い影響がある。このような植物を庭や鉢に植えて楽しむガーデニングが幅広い年齢層で人気を集めている。鉢植えされた植物は、庭だけでなく、マンションのベランダや屋内に観賞用として置かれている。鉢は、その形状によって植物の印象が変わるため、種類が多様化している。鉢の一形態として、天井や軒下、スタンド、壁などに吊り下げられて植物を空中で立体的に演出する吊下鉢がある。
【０００３】
吊下鉢は、植物に水やりをすると、土を通って汚れた水が水抜き孔から滴下する。滴下した水が床などに落ちると、部屋が汚れる。そのため、吊下鉢の植物に水やりする場合には、吊下鉢を天井等から取り外して洗面台などへ持って行く必要がある。しかし、水やりの度に吊下鉢を天井等から取り外すのは、面倒である。また、例えば吊下鉢の吊下部材を伝って植物が伸びた場合には、吊下鉢を天井等から取り外すことができない。
【０００４】
この点、図１０及び図１１に示す吊下鉢セット１００は、スタンド１１０に紐１０４を介して吊り下げられる吊下鉢１０１に、鉢受１０２を紐１０３で連結している。このような吊下鉢セット１００は、植物に与えた水が吊下鉢１０１の底部に形成した水抜き孔から鉢受１０２に流れ落ちて溜められる。そのため、例えば紐１０４を伝って植物が伸びても、吊下鉢１０１を天井等から取り外さずに植物に水やりすることができる（例えば、特許文献１参照）。
【０００５】
【特許文献１】特開平８−９７８８号公報
【発明の開示】
【発明が解決しようとする課題】
【０００６】
しかしながら、従来の鉢受１０２は、紐１０３を介して吊下鉢１０１に固着され、吊下鉢１０１から分離できないため、手入れしにくかった。鉢受１０２に溜まった水は、土などで汚れ、そのまま放置すると異臭を発し、衛生上もよくない。このことは、室内に吊下鉢セット１００を設置した場合に特に問題になる。よって、鉢受１０２に溜まった水を捨てたり、鉢受１０２を洗浄する必要がある。従来の鉢受１０２は、吊下鉢１０１に紐１０３で固着されているため、鉢受１０２に溜まった水を捨てる度に水を受けるバケツを準備しなければならなかった。また、従来の鉢受１０２は、洗浄時に吊下鉢１０１ごと天井等から取り外さなければならず、手間であった。しかも、従来の鉢受１０２は、植物が紐１０４を伝って伸びている場合には、吊下鉢１０１ごと天井等から取り外せず、洗浄できなかった。
【０００７】
本発明は、上記問題点を解決するためになされたものであり、手入れが簡単な吊下鉢用鉢受及び吊下鉢セットを提供することを目的とする。
【課題を解決するための手段】
【０００８】
本発明に係る吊下鉢用鉢受及び吊下鉢セットは、次のような構成を有している。
（１）植物が植栽され吊下部材を介して吊り下げられる吊下鉢に連結部材を介して連結される吊下鉢用鉢受において、一方に開口する中空部を備える筒状をなし、前記中空部に前記吊下鉢を挿入して配置するものであって、前記連結部材は、前記吊下鉢と前記吊下鉢用鉢受に着脱可能に係合するものであり、前記連結部材を前記吊下鉢と前記吊下鉢用鉢受とに係合したときに前記吊下鉢と一体化される。
【０００９】
（２）（１）に記載の発明において、前記中空部内で前記吊下鉢を位置決め保持する保持部を有する。
尚、保持部は、吊下鉢用鉢受と一体に設けてもよいし、吊下鉢用鉢受と別体に設けても良い。
【００１０】
（３）（１）又は（２）に記載の発明において、前記連結部材は、前記吊下鉢用鉢受の周壁と前記吊下鉢の周壁とに貫通して装着されるピン部材である。
【００１１】
（４）（１）又は（２）に記載の発明において、前記中空部が開口する開口部外周に沿ってフランジ部が設けられ、前記連結部材は、前記吊下鉢の内周面に当接して係止される第１係止部と、前記フランジ部に引っ掛けられる第２係止部とを有し、前記吊下鉢の周壁と前記鉢受の周壁とを挟み込むように保持するものである。
【００１２】
（５）（１）乃至（４）の何れか１つに記載の吊下鉢用鉢受を使用する吊下鉢セット。
【００１３】
（６）植物が植栽され吊下部材を介して吊り下げられる吊下鉢と、前記吊下鉢の底側に配置される吊下鉢用鉢受と、前記吊下鉢と前記吊下鉢用鉢受とを連結する連結部材と、を備える吊下鉢セットにおいて、前記吊下鉢は、第１係合部を備え、前記鉢受は、第２係合部を備え、前記連結部材は、前記第１係合部に係合する第１係止部材と、前記第２係合部に係合する第２係止部材と、前記第１係止部材と前記第２係止部材に固着された連結ベルトとを含む。
【発明の効果】
【００１４】
次に、本発明の吊下鉢用鉢受と吊下鉢セットの作用効果について説明する。
吊下鉢用鉢受は、連結部材を介して吊下鉢に係合されて吊下鉢と一体的に天井や軒下、スタンド、壁などに吊り下げられる。吊下鉢に植栽された植物に水やりをすると、余分な水が吊下鉢から吊下鉢用鉢受に流れ落ちて溜められる。このような吊下鉢用鉢受に溜まった水を捨てたり、吊下鉢用鉢受を洗浄する場合には、使用者は、吊下鉢用鉢受と吊下鉢から連結部材を外し、吊下鉢用鉢受を吊下鉢の底部側に移動させて吊下鉢から分離させる。そして、使用者は、吊下鉢用鉢受を洗面台などへ持っていき、吊下鉢用鉢受に溜まった水を捨てたり、吊下鉢用鉢受を洗浄する。その後、使用者は、吊下鉢用鉢受を持って吊下鉢の設置場所へ戻る。そして、使用者は、吊下鉢用鉢受の中空部に吊下鉢を挿入して配置し、連結部材を用いて吊下鉢用鉢受と吊下鉢とを一体的に係合させる。
【００１５】
このように、本発明の吊下鉢用鉢受及び吊下鉢セットは、連結部材を用いて吊下鉢用鉢受を吊下鉢に着脱できる。そのため、例えば植物が吊下部材を伝って伸びた場合でも、吊下鉢を天井等に吊り下げた状態で吊下鉢用鉢受を吊下鉢から取り外し、吊下鉢用鉢受に溜まった水を捨てたり、吊下鉢用鉢受を洗浄することができる。よって、本発明の吊下鉢用鉢受及び吊下鉢セットによれば、吊下鉢用鉢受を簡単に手入れすることができる。
【００１６】
また、吊下鉢用鉢受及び吊下鉢セットは、吊下鉢用鉢受の中空部内に設けた保持部が吊下鉢用鉢受を吊下鉢に対して位置決め保持しているので、例えば吊下鉢と共に天井等に吊り下げられた吊下鉢用鉢受に手をぶつけても、吊下鉢用鉢受が吊下鉢に対して傾き、水をこぼすことがない。
【００１７】
そして、例えば吊下鉢用鉢受の周壁と吊下鉢の周壁にピン部材を挿通して装着することにより吊下鉢と一体化するようにすれば、ピン部材の脱着のみで吊下鉢用鉢受と吊下鉢を簡単に非連結状態又は連結状態にすることができる。
【００１８】
また例えば、吊下鉢用鉢受は、中空部が開口する開口部外周に沿ってフランジ部が設けられ、連結部材の第１係止部を吊下鉢の内周面に当接させて係止させる一方、連結部材の第２係止部を吊下鉢用鉢受のフランジ部に係止させることにより、吊下鉢の周壁と吊下鉢用鉢受の周壁とを連結部材で挟むようにして、吊下鉢と一体化される。このような吊下鉢用鉢受及び吊下鉢セットは、連結部材を吊下鉢用鉢受と吊下鉢にワンタッチ装着して、吊下鉢用鉢受を吊下鉢に簡単に取り付けることができる。
【００１９】
更に、本発明の吊下鉢セットは、吊下鉢の第１係合部に連結部材の第１係止部材を係合させ、吊下鉢用鉢受の第２係合部に連結部材の第２係止部材を係合させることにより、吊下鉢と吊下鉢用鉢受を連結部材を介して連結させる。このように、吊下鉢セットは、連結部材の第１及び第２係止部材を吊下鉢の第１係合部と吊下鉢用鉢受の第２係合部に着脱して、吊下鉢用鉢受を吊下鉢に着脱自在に一体化するので、吊下鉢用鉢受を簡単に手入れすることができる。
【発明を実施するための最良の形態】
【００２０】
次に、本発明に係る吊下鉢用鉢受及び吊下鉢セットの一実施形態について図面を参照して説明する。
【００２１】
（第１実施形態）
図１は、本発明の第１実施形態に係る吊下鉢セット１の断面図である。図２は、図１に示す吊下鉢セット１の外観斜視図である。
吊下鉢セット１は、天井や軒下、スタンドなどに吊り下げられ、植物１３を空中で演出するものである。吊下鉢セット１は、複数の連結部材２１を用いて、吊下鉢１０に吊下鉢用鉢受（以下「鉢受」と略記する。）２０を着脱可能に取り付けている。
【００２２】
吊下鉢１０は、樹脂を材質とする。吊下鉢１０は、底部５の周りに周壁６を設け、一方に開口する筒状をなす。底部５には、複数の水抜き孔１０ｃが形成されている。周壁６には、複数のフック孔１０ａが開設されている。吊下部材１１は、複数のフック１１ｂを各フック孔１０ａにそれぞれ引っ掛け、複数のフック１１ｂにチェーン１１ｃを介して結合するメインフック１１ａを天井や軒下、スタンド等に引っ掛けることにより、吊下鉢１０を空中に配置する。また、吊下鉢１０の周壁６には、複数の第１貫通孔１０ｂが開設されている。第１貫通孔１０ｂは、吊下鉢１０の製造時に形成したものでもよいし、工具や後述する連結部材２１を用いて事後的に形成したものでも良い。このような吊下鉢１０は、土１２を入れられ、植物１３が植栽されている。
【００２３】
鉢受２０は、樹脂を材質とする。鉢受２０は、底部７の周りに周壁８を設け、一方に開口する中空部２０ｃを形成している。鉢受２０は、吊下鉢１０が中空部２０ｃに嵌め合わせるように挿入されて配置されている。中空部２０ｃの内径寸法は、連結部材２１鉢受２０の周壁８と吊下鉢１０の周壁６との間に形成される隙間を狭くするように設定されている。
【００２４】
また、環状位置決め部材２３（保持部の一例）は、鉢受２０の周壁８と吊下鉢１０の周壁６との間に配置され、鉢受２０が吊下鉢１０に対して横ずれするのを防止する。環状位置決め部材２３は、ゴムや樹脂など弾性力を有するものであり、鉢受２０を吊下鉢１０に対して同軸になるように位置調整する。尚、本実施形態では、環状位置決め部材２３を１個設けているが、複数設けても良い。また、環状位置決め部材２３に鉢受２０の開口部側と底部側とを連通させて空気を出入りさせるための孔を形成しても良い。鉢受２０の周壁８には、複数の第２貫通孔２０ａが形成されている。
【００２５】
連結部材２１は、硬い樹脂又は金属など変形しにくい材料を材質とする。連結部材２１は、第１及び第２貫通孔１０ｂ，２０ａに挿通される挿通部２１ａと、挿通部２１ａを鉢受２０の周壁に係止させる頭部２１ｂとを備えるピン状をなす。頭部２１ｂは、例えばハート形にされ、装飾が施されている。連結部材２１で連結された吊下鉢１０と吊下鉢用鉢受２０は、底部５，７の間に水１４が溜まる隙間を形成している。
【００２６】
次に、鉢受２０と吊下鉢セット１の作用効果について説明する。
鉢受２０は、連結部材２１の挿通部２１ａを第１及び第２貫通孔１０ｂ，２０ａに挿し通すことにより吊下鉢１０に係合され、吊下鉢１０と一体化される。メインフック１１ａを天井や軒下、スタンドなどに引っ掛けて吊下鉢１０を吊り下げると、鉢受２０は自重によって鉛直方向の力を受け、連結部材２１の頭部２１ｂを鉛直方向に引っ張る。しかし、連結部材２１は、挿入部２１ａが第１及び第２貫通孔１０ｂ，２０ａの縁に当接して係止され、さらに土１２によって回りを支持されている。特に、周壁６，８の間の隙間が狭くされているため、挿入部２１ａが土１２に支持される部分が大きい。よって、連結部材２１は、吊下鉢１０と鉢受２０から落下することなく、吊下鉢１０と鉢受２０とを一体的に係合し続ける。このように、鉢受２０は、連結部材２１によって吊下鉢１０と一体的に連結された状態で吊り下げられ、吊下鉢１０と共に植物１３を空中に演出する。この場合、吊下鉢１０の底部５と鉢受２０の底部７との間には隙間があるため、土１２が空気に接し、植物１３が根腐れしない。
【００２７】
また、鉢受２０は、中空部２０ｃに吊下鉢１０が挿入して配置され、吊下鉢１０の外周全体を覆っているため、外観上吊下鉢１０と１つの鉢のように見えて見栄えが良く、植物１３をより美しく演出することができる。また、連結部材２１は、頭部２１ｂが鉢受２０の外面に現れるが、頭部２１ｂをハート形にしているため、鉢受２０と吊下鉢１０を連結すると同時に鉢受２０を装飾する。尚、頭部２１ｂの装飾の種類が多数あれば、使用者が好みの連結部材２１を選択して鉢受２０に装飾を施すことができる。
【００２８】
使用者が如雨露などで植物１３に水やりをすると、水は吊下鉢１０の土１２を通って鉢受２０に流れ落ちて溜められる。そのため、水やりした水が床などに落ちない。鉢受２０に溜まった水１４は、土１２を通過する際に汚れる。鉢受２０に溜まった水１４を放置しておくと、水１４に雑菌が繁殖するなどして異臭を生じ、衛生上よくない。そこで、鉢受２０の水１４を捨てて鉢受２０を洗浄する必要がある。
【００２９】
この場合、使用者は、鉢受２０を一方の手で支え、他方の手で連結部材２１の頭部２１ｂをつまんで連結部材２１を第１及び第２貫通孔１０ｂ，２０ａから引き抜く。使用者は、全ての連結部材２１を抜き終えて、鉢受２０と吊下鉢１０との連結を解除したら、鉢受２０を吊下鉢１０の底部５側（図中下側）に移動させて吊下鉢１０から取り外す。そして、使用者は、洗面台などへ鉢受２０を持って行き、中空部２０ｃに溜まった水１４を捨てる。よって、使用者は、水１４を捨てるために吊下鉢セット１の下にバケツを準備しなくて良い。
【００３０】
使用者は、鉢受２０や環状位置決め部材２３を洗浄し終わったら、鉢受２０を持って吊下鉢１０の設置場所へ戻る。そして、使用者は、中空部２０ｃに吊下鉢１０を挿入して配置する。このとき、環状位置決め部材２３は、鉢受２０を吊下鉢１０に対して横ずれしないように保持する。そして、使用者は、鉢受２０を一方の手で支えながら、他方の手で連結部材２１の頭部２１ｂをつまんで、頭部２１ｂを鉢受２０の周壁８に突き当てるまで挿通部２１ａを第１貫通孔１０ｂから第２貫通孔２０ａに挿通する。このとき、連結部材２１は、挿通部２１ａが土１２に突き刺さるため、第１及び第２貫通孔１０ｂ，２０ａから脱落しない。使用者は、全ての連結部材２１を鉢受２０と吊下鉢１０に装着したら、手を鉢受２０から離す。これにより、鉢受２０が吊下鉢１０に一体的に係合される。
【００３１】
このように、第１実施形態の鉢受２０及び吊下鉢セット１は、複数の連結部材２１を用いて鉢受２０を吊下鉢１０に着脱できる。そのため、例えば、植物１３がチェーン１１ｃを伝って伸びた場合でも、吊下鉢１０を天井等に吊り下げた状態で鉢受２０を吊下鉢１０から取り外し、水１４を捨てたり、鉢受２０を洗浄することが可能である。よって、第１実施形態の鉢受２０及び吊下鉢セット１によれば、鉢受２０を簡単に手入れすることができる。
【００３２】
鉢受２０及び吊下鉢セット１は、中空部２０ｃ内に設けた環状位置決め部材２３が鉢受２０を吊下鉢１０に対して位置決め保持している。よって、例えば天井に吊り下げられた吊下鉢セット１が人や物がぶつかって揺れたとしても、鉢受２０が吊下鉢１０に対して傾いたり横ずれして、水１４を零すことがない。
また、鉢受２０は、中空部２０ｃが吊下鉢１０の周りを覆うように深く形成されているため、水１４が吊下鉢セット１の揺れで波打っても鉢受２０の周りに飛び散りにくい。
【００３３】
鉢受２０及び吊下鉢セット１は、鉢受２０の周壁８に形成した第２貫通孔２０ａと吊下鉢１０の周壁６に形成した第１貫通孔１０ｂに連結部材２１を挿通して装着することにより吊下鉢１０と一体化されるので、連結部材２１の脱着のみで吊下鉢用鉢受２０と吊下鉢１０を簡単に非連結状態又は連結状態にすることができる。
【００３４】
（第２実施形態）
続いて、本発明の第２実施形態について説明する。図３は、本発明の第２実施形態に係る吊下鉢セット１Ａの断面図である。図４は、図３に示す吊下鉢セット１Ａの外観斜視図である。
第２実施形態の吊下鉢セット１Ａは、連結部材３３を用いて吊下鉢１０Ａに鉢受２０Ａを着脱可能に取り付ける構造が第１実施形態と相違する。よって、ここでは、第１実施形態と相違する点を中心に説明し、第１実施形態と共通する点は図面に第１実施形態と同一符号を付し、適宜説明を省略する。
【００３５】
吊下鉢セット１Ａは、伸縮性を有する連結部材３３を用いて、吊下鉢１０Ａと鉢受２０Ａとを一体的に連結している。連結部材３３は、伸縮性を有するゴムベルト３２（連結ベルトの一例）の両端に金属製の第１係止部材３０と第２係止部材３１を取り付けたものである。第１係止部材３０は、断面略コの字型に形成されている。第１係止部材３０は、一端に設けたフランジ部３０ｂに孔３０ｃが形成され、その孔３０ｃにゴムベルト３２を挿通して固着している。第１係止部材３０の他端は、当該端部より内側で折り曲げられた部分を基点にして弾性変形可能にされ、先端部に係止爪３０ａが形成されている。これに対して、第２係止部材３１は、Ｌ字形にされ、一端にゴムベルト３２を挿通して固着するための孔３１ｂが形成されている。そして、第２係止部材３１の他端は、孔３１ｂ側に折り曲げられ、屈曲部３１ａを形成している。
【００３６】
吊下鉢１０Ａは、周壁８Ａの内周面に、第１係止部材３０の係止爪３０ａを引っ掛けて係合させるための係合部１０ｄ（第１係合部の一例）が形成されている。係合部１０ｄは、連結部材３３の取付位置が分かるように部分的に溝又は孔を形成して構成しても良いし、連結部材３３を任意に取り付けられるように環状に溝を形成して構成しても良い。
【００３７】
鉢受２０Ａは、第１実施形態の鉢受２０より全高が低くされている。鉢受２０Ａは、周壁８Ａの内周面に位置決め部２０ｈ（保持部の一例）が突設され、吊下鉢１０Ａに対する横ずれを防止している。尚、位置決め部２０ｈは、環状に形成してもよいし、ローレット状など断続的に設けて通気性を良くしても良い。このような鉢受２０Ａは、周壁８Ａの開口端外周に沿ってフランジ部２０ｄが形成されている。そして、フランジ部２０ｄの裏側には、凹溝２０ｅ（第２係合部の一例）が形成され、使用者が凹溝２０ｅに指をかけて鉢受２０Ａを運びやすくしている。
【００３８】
次に、吊下鉢セット１Ａの作用効果について説明する。
吊下鉢セット１Ａは、鉢受２０Ａが複数の連結部材３３を介して吊下鉢１０Ａに連結されて一体化されている。植物１３に水やりすると、余分な水が吊下鉢１０Ａの水抜き孔１０ｃから鉢受２０Ａに流れ落ちて溜められる。
【００３９】
鉢受２０Ａに溜まった水１４を捨てたり鉢受２０Ａを洗浄する場合には、使用者は、鉢受２０Ａを一方の手で支え、他方の手でゴムバンド３２を伸ばすように第２係止部材３１を下方に引っ張り、屈曲部３１ａを鉢受２０Ａの凹溝２０ｅから外す。使用者は、全ての第２係止部材３１の屈曲部３１ａを鉢受２０Ａの凹溝２０ｅから外し終えたら、鉢受２０Ａを吊下鉢１０Ａの底部５側へ移動させて吊下鉢１０Ａから分離させる。そして、使用者は、鉢受２０Ａを洗面台などへ持っていき、水１４を捨てたり、鉢受２０Ａを洗浄する。
【００４０】
その後、使用者は、鉢受２０Ａを持って吊下鉢１０Ａの設置場所へ戻る。そして、使用者は、鉢受２０Ａの中空孔２０ｃに吊下鉢１０Ａを挿入する。そして、使用者は、鉢受２０Ａを一方の手で支えながら、他方の手で第１係止部材３０の係止爪３０ａを吊下鉢１０Ａの係合部１０ｄに引っ掛けた後、第２係止部材３１を鉢受２０Ａのフランジ部２０ｄまで引き下げて屈曲部３１ａを凹溝２０ｅに引っ掛け、第２係止部材３１から手を離す。同様にして、使用者は残りの連結部材３３を吊下鉢１０Ａと鉢受２０Ａに装着する。使用者は、全ての連結部材３３を装着し終えたら、鉢受２０Ａから手を離す。これにより、鉢受２０Ａは、吊下鉢１０Ａに一体的に取り付けられる。
【００４１】
このように第２実施形態の吊下鉢セット１Ａは、第１係止部材３０の係止爪３０ａを吊下鉢１０Ａの係合部１０ｄに引っ掛けて係合させる一方，第２係止部材３１の屈曲部３１ｂを鉢受２０Ａの凹溝２０ｅに引っ掛けて係合させることにより、鉢受２０Ａを吊下鉢１０Ａに着脱自在に一体化する。そのため、例えば植物１３がチェーン１１ｃを伝って伸びた場合でも、連結部材３３の第２係止部材３１を鉢受２０Ａの凹溝２０ｅから外して連結部材３３による鉢受２０Ａと吊下鉢１０Ａとの連結状態を解除すれば、鉢受２０Ａを吊下鉢１０Ａから分離させて洗面台などで水１４を捨てたり鉢受２０Ａを洗浄することができる。よって、第２実施形態の吊下鉢セット１Ａによれば、鉢受２０Ａを簡単に手入れすることができる。
【００４２】
そして、連結部材３３に伸縮性があるゴムベルト３２を使用するので、連結部材３３を鉢受２０Ａと吊下鉢１０Ａに装着しやすい。
また、鉢受２０Ａは、吊下鉢１０Ａの周りを半分程度覆っているため、吊下鉢セット１Ａが人にぶつかったり風に吹かれるなどして揺れても水１４を周りに飛び散らせ難い。
【００４３】
（第３実施形態）
続いて、本発明の第３実施形態について説明する。図５は、本発明の第３実施形態に係る吊下鉢セット１Ｂの断面図である。図６は、図５に示す吊下鉢セット１Ｂの外観斜視図である。
第３実施形態の吊下鉢セット１Ｂは、連結部材４０を用いて吊下鉢１０Ｂと鉢受２０Ｂとを着脱可能に連結する点が第１実施形態と相違する。よって、ここでは第１実施形態と相違する点を中心に説明し、第１実施形態と共通する点は図面に第１実施形態と同一符号を付し、説明を適宜省略する。
【００４４】
吊下鉢１０Ｂは、第１貫通孔１０ｂを備えない市販品である点で第１実施形態と相違する。
鉢受２０Ｂは、第２貫通孔２０ａを備えず、開口部外周にフランジ部２０ｉが形成されている点が第１実施形態と相違する。
【００４５】
連結部材４０は、金属や樹脂などを材質とする。連結部材４０は、一端を鋭角に折り曲げて形成した第１係止片４０ａと、他端を鉢受２０Ｂのフランジ部２０ｉの形状に合わせて折り曲げた第２係止片４０ｂとを備える。第１係止片４０ａと第２係止片４０ｂは、折り曲げられた部分を基点にして先端部を撓めるようにして弾性変形可能に設けられている。連結部材４０は、第１係止片４０ａが吊下鉢１０Ｂの内壁に沿って土１２に深く差し込まれるように設けられ、吊下鉢１０Ｂと鉢受２０Ｂとを連結した際に吊下鉢１０Ｂから外れにくくしている。
【００４６】
このような吊下鉢セット１Ｂは、環状位置決め部材２３を配置した鉢受２０Ｂに吊下鉢１０Ｂを挿入して配置し、吊下鉢１０Ｂが鉢受２０Ｂとの間に隙間を空けて配置される。鉢受２０Ｂは複数の連結部材４０を介して吊下鉢１０Ｂに連結されている。各連結部材４０は、第１及び第２係止片４０ａ，４０ｂが撓むように弾性変形し、第１係止片４０ａを吊下鉢１０Ｂの内周面に圧接させると共に第２係止片４０ｂをフランジ部４０ｉに引っ掛けることにより、吊下鉢１０Ｂの周壁６Ｂと鉢受２０Ｂの周壁８Ｂとを挟み込むように保持している。そのため、鉢受２０Ｂは、吊下鉢１０Ｂに引っ掛けた各連結部材４０にぶら下げられた状態で、吊下鉢１０Ｂに連結される。これにより、吊下鉢セット１Ｂは、鉢受２０Ｂが吊下鉢１０Ｂと一体的に天井等に吊り下げられ、植物１３を空中に演出する。
【００４７】
鉢受２０Ｂに溜まった水１４を捨てたり鉢受２０Ｂを洗浄する場合には、使用者は、一方の手で鉢受２０Ｂを支えながら、他方の手で第２係止片４０ｂを弾性変形させてフランジ部２０ｉから外す。使用者は、全ての第２係止部４０ｂをフランジ部２０ｉから外したら、鉢受２０Ｂを吊下鉢１０Ｂの底部５側に移動させて吊下鉢１０Ｂから分離させる。そして、使用者は、鉢受２０Ｂに溜まった水１４を捨てて鉢受２０Ｂを洗浄する。その後、使用者は、鉢受２０Ｂを持って吊下鉢１０Ｂの設置場所へ戻り、鉢受２０Ｂの中空部２０ｃに吊下鉢１０Ｂを挿入して配置する。そして、使用者は、一方の手で鉢受２０Ｂを支えた状態で、他方の手で連結部材４０を吊下鉢１０Ｂの周壁６Ｂに突き当てるように第１係止片４０ａを土１２に差し込み、第２係止片４０ｂを弾性変形させながら鉢受２０Ｂのフランジ部２０ｉに引っ掛けて係合させる。使用者は、全ての連結部材４０を鉢受２０Ｂと吊下鉢１０Ｂに係合させたら、手を鉢受２０Ｂから離す。これにより、吊下鉢用鉢受２０Ｂが吊下鉢１０Ｂと一体的に連結する。
【００４８】
よって、第３実施形態の鉢受２０Ｂ及び吊下鉢セット１Ｂは、複数の連結部材４０を鉢受２０Ｂと吊下鉢１０Ｂにそれぞれワンタッチ装着して、鉢受２０Ｂを吊下鉢１０Ｂに簡単に取り付けることができる。これにより、例えば植物１３が吊下部材１１を伝って伸びた場合でも、連結部材４０の第２係止部４０ｂと鉢受２０Ｂのフランジ部２０ｉとの係合を解除して鉢受２０Ｂを吊下鉢１０Ｂから取り外せば、洗面台等で鉢受２０Ｂに溜まった水１４を捨てたり鉢受２０Ｂを洗浄することができる。よって、第３実施形態の鉢受２０Ｂ及び吊下鉢セット１Ｂでも鉢受２０Ｂを簡単に手入れすることができる。
また、市販の吊下鉢１０Ｂを使用するので、吊下鉢セット１Ｂを安く提供できる。
【００４９】
尚、本発明は、上記実施形態に限定されることなく、色々な応用が可能である。
例えば上記実施形態では、天井や軒下、スタンドに吊り下げる形式の吊下鉢１０，１０Ａ，１０Ｂに鉢受２０，２０Ａ，２０Ｂを適用した。これに対して、たとえば図７及び図８に示すように、Ｓ字型フックなどの吊下治具１５を用いて壁１６に吊り下げるタイプの吊下鉢５１を鉢受５２に挿入して配置し、吊下鉢５１の第１貫通孔５１ａと鉢受５２の第２貫通孔５２ａに連結部材２１を挿通することにより、吊下鉢５１と鉢受５２とを着脱可能に連結しても良い。また、第２及び第３実施形態の連結構造を用いて吊下鉢５１と鉢受５２とを着脱可能に連結しても良い。
【００５０】
例えば第３実施形態の連結部材４０を、図９の連結部材６０に示す形状としても良い。すなわち、第１係止片４０ａと第２係止片４０ｂとの間を凸状に折り曲げて凸状挿入部６１を形成し、鉢受２０Ｃの周壁８Ｂと吊下鉢１０Ｂの周壁６Ｂとの間に凸状挿入部６１を差し込んで配置しても良い。これによれば、連結部材６０は、折り曲げられて強度が強いため、鉢受２０Ｃの落下をより確実に防止できる。
【００５１】
例えば、図９に示すように、吊下鉢１０の底部５と鉢受２０Ｃの底部７Ｃとの間に高さ調節用の台座２２を配置しても良い。この場合、底部７Ｃに台座２２を位置決めする突起２０ｂを設けると良い。これによれば、連結部材４０を取り付ける場合に鉢受２０Ｃを吊下鉢１０Ｂに対して位置決めするのが容易になる。そして、この場合には、図９に示すように環状位置決め部材２３が不要になり、部品点数を減らすことができる。また、台座２２に水抜き孔１０ｃに挿入される突起を設ければ、環状位置決め部材２３がなくても鉢受２０Ｃの横ずれを防止できる。更に、第２実施形態の連結部材３３を用いる場合にも台座２２を使用すれば、ゴムベルト３２が縮む力によって台座２２を介して鉢受を吊下鉢に押し付けるようになり、鉢受をより安定して保持できる。尚、台座２２は、鉢受と別体に設けてもよいし、一体に設けても良い。また、台座２２を金属メッシュなどで構成すれば、土１２の通気性を損なわない。
【００５２】
例えば、上記第２実施形態のゴムベルト３２を、樹脂を薄い帯状に成形した可撓性がある連結ベルトとしても良い。この場合、第１及び第２連結部材３０，３１の材質も樹脂とし、第１及び第２連結部材３０，３１と樹脂製連結ベルトとを一体成形すれば、材料や製造に要するコストを安価にできる。
例えば、上記実施形態では、吊下鉢１０，１０Ａ，１０Ｂを円筒状にしたが、多角形状の吊下鉢でも良い。この場合、鉢受は、吊下鉢の形状に対応する形状とし、連結部材２１，３３，４０を用いて吊下鉢と連結しやすくすると共に見栄えを良くすることが望ましい。
【００５３】
例えば、上記第３実施形態では、鉢受２０Ｂの洗浄をする際に第２係止片４０ｂを弾性変形させて連結部材４０を脱着したが、第１及び／又は第２係止片４０ａ，４０ｂを弾性変形させて連結部材４０を脱着しても良い。
例えば、上記実施形態では、吊下鉢１０，１０Ａ，１０Ｂは、吊下部材１１のフック１１ｂに係合するフック孔１０ａを周壁６，６Ａ，６Ｂに備える。これに対して、吊下鉢は、開口部に上向きに突出する突出片を設け、その突出片に長孔を設け、吊下部材のチェーンの先端部に設けた引掛部材を長孔に挿入して突出片に係合させるものであっても良い。
【図面の簡単な説明】
【００５４】
【図１】本発明の第１実施形態に係る吊下鉢セットの断面図である。
【図２】図１に示す吊下鉢セットの外観斜視図である。
【図３】本発明の第２実施形態に係る吊下鉢セットの断面図である。
【図４】図３に示す吊下鉢セットの外観斜視図である。
【図５】本発明の第３実施形態に係る吊下鉢セットの断面図である。
【図６】図５に示す吊下鉢セットの外観斜視図である。
【図７】本発明の吊下鉢セットの変形例を示す上面図である。
【図８】図７に示す吊下鉢セットの側面図である。
【図９】本発明の吊下鉢セットの変形例を示す断面図である。
【図１０】従来の吊下鉢セットの断面図である。
【図１１】図１０に示す吊下鉢セットの外観斜視図である。
【符号の説明】
【００５５】
１，１Ａ，１Ｂ，１Ｃ，５０  吊下鉢セット
１０，１０Ａ，１０Ｂ，５１  吊下鉢
１０ｄ  係合部（第１係合部）
１１  吊下部材
２０，２０Ａ，２０Ｂ，５２  吊下鉢用鉢受
２０ｅ  凹溝（第２係合部）
２０ｈ  位置決め部（保持部）
２０ｉ  フランジ部
２３  環状位置決め部材（保持部）
２１  連結部材
３０  第１係止部材
３１  第２係止部材
３２  ゴムベルト（連結ベルト）
３３，４０，６０  連結部材
４０ａ  第１係止片（第１係止部）
４０ｂ  第２係止片（第２係止部）
【図１】
2008142087.tif 000003
【図２】
2008142087.tif 000004
【図３】
2008142087.tif 000005
【図４】
2008142087.tif 000006
【図５】
2008142087.tif 000007
【図６】
2008142087.tif 000008
【図７】
2008142087.tif 000009
【図８】
2008142087.tif 000010
【図９】
2008142087.tif 000011
【図１０】
2008142087.tif 000012
【図１１】
2008142087.tif 000013